(57)【要約】  【課題】商品陳列用ボードの陳列面を、別途の専用の枠体等を使用することなく、簡易にしかも低コストで左右方向及び前後方向共に同時に区画でき、且つ陳列の演出を高めることができる商品陳列用ボードを提供すること。  【解決手段】商品の陳列に必要な所定の表面積を有する平板状のボード本体１０と、第１板状物２１と、第２板状物２２を備え、ボード本体１０の天面１４の全域に亘り、縦溝１２と横溝１３が所定の間隔で碁盤目状に多数形成されている商品陳列用ボード１。【選択図】      図２
2006149597.tif 000002
【特許請求の範囲】
【請求項１】
商品の陳列に必要な所定の表面積を有する平板状のボード本体と、商品仕切り又は転落防止用の板状物を備え、
前記ボード本体の天面の全域に亘り、縦溝と横溝が所定の間隔で碁盤目状に多数形成されていることを特徴とする商品陳列用ボード。
【請求項２】
陳列商品を左右に区画する第１板状物の１又は２以上が、前記縦溝に設置され、陳列商品を前後に区画する第２板状物の１又は２以上が、前記横溝に設置されることを特徴とする請求項１記載の商品陳列用ボード。
【請求項３】
前記第１板状物及び第２板状物をそれぞれ２以上使用して、該ボード本体の天面上に囲み部を形成することを特徴とする請求項１又は２記載の商品陳列用ボード。
【請求項４】
前記ボード本体の天面が、前方下がり傾斜となるように設置されることを特徴とする請求項１〜３のいずれか１項記載の商品陳列用ボード。
【請求項５】
前記第１板状物と第２板状物は、同一形状物であることを特徴とする請求項１〜４のいずれか１項記載の商品陳列用ボード。
【発明の詳細な説明】
【技術分野】
【０００１】
本発明は、商品仕切り又は転落防止用の板状物を前後及び左右共に、自在に組み付けることが可能な商品陳列用ボードに関するものである。
【背景技術】
【０００２】
スーパーなどにおける青果用冷ケースやワゴン等において、オレンジやリンゴ等の丸物商品、ねぎやごぼう等の長物商品又はほうれん草やサラダ菜等の葉物商品などを陳列するに際しては、冷ケースやワゴン等を構成する陳列枠体に底板（棚板）を取り付け、この底板上に商品を載置することにより商品を陳列し、あるいは底板上に仕切板を載置することにより、底板上の商品を種別ごとに整理して陳列したり、また、陳列商品にボリューム感を持たせるとともに商品の見栄えをよくするために、底板自体を傾斜して取り付けたり、またはアンコと称するボリュームアップ用部材を底板上にセットし、このボリュームアップ用部材に葉物商品など商品を立て掛け状態に載せて陳列するようにしている。これにより、商品陳列をきれいに、かつ効果的に演出し、消費者の購買意欲を高めるようにしている。
【０００３】
特開２００１−１９７９７７号公報には、商品の陳列に必要な所定の表面積を有する平板状のボード本体を備え、前記ボード本体に該ボード本体の天面の全域に亘り、通気を兼ねた商品仕切り板用のスリット状の横溝が前後方向に所定の間隔で多数形成された商品陳列用ボードが開示されている。この商品陳列用ボードによれば、商品の陳列形態に応じた種々の使用形態に適用できるとともに、転び止めや仕切等の陳列用品の組み付けを可能にし、併せて塵埃が滞留しにくく、かつ通気性が良好である。
【特許文献１】特開２００１−１９７９７７号公報（段落００１８、図７）
【発明の開示】
【発明が解決しようとする課題】
【０００４】
しかしながら、特開２００１−１９７９７７号公報記載の商品陳列用ボードにおいて、陳列商品を左右方向に区画するには、左右方向に区画する商品仕切り板専用の嵌め込み部品や専用仕切りパーツを別途取り付けて使用していた。また、上記商品陳列用ボードは水平方向に９０度回転させれば、横溝が縦溝になるため、当該溝に商品仕切り板を設置すれば、陳列商品を左右方向に区画することができる。しかし、この場合、陳列面を前方下り傾斜で使用する場合、商品転落防止板専用の嵌め込み部品や専用仕切りパーツを、前記同様に別途取り付けて使用する必要がある。
【０００５】
従って、本発明の目的は、商品陳列用ボードの陳列面を、別途の専用の嵌め込み部品や専用仕切りパーツを使用することなく、簡易にしかも低コストで左右方向及び前後方向共に同時に区画でき、且つ陳列の演出を高めることができる商品陳列用ボードを提供することにある。
【課題を解決するための手段】
【０００６】
すなわち、本発明は、商品の陳列に必要な所定の表面積を有する平板状のボード本体と、商品仕切り又は転落防止用の板状物を備え、前記ボード本体の天面の全域に亘り、縦溝と横溝が所定の間隔で碁盤目状に多数形成されていることを特徴とする商品陳列用ボードを提供するものである。
【０００７】
また、本発明は、陳列商品を左右に区画する第１板状物の１又は２以上が、前記縦溝に設置され、陳列商品を前後に区画する第２板状物の１又は２以上が、前記横溝に設置される前記商品陳列用ボードを提供するものである。
【０００８】
また、本発明は、前記第１板状物及び第２板状物をそれぞれ２以上使用して、該ボード本体の天面上に囲み部を形成する前記商品陳列用ボードを提供するものである。
【０００９】
また、本発明は、前記ボード本体の天面が、前方下がり傾斜となるように設置される前記商品陳列用ボードを提供するものである。
【００１０】
また、本発明は、前記第１板状物と第２板状物は、同一形状物である商品陳列用ボードを提供するものである。
【発明の効果】
【００１１】
本発明の商品陳列用ボードによれば、商品陳列用ボードの陳列面を、別途の専用の嵌め込み部品や専用仕切りパーツを使用することなく左右方向及び前後方向共に同時に区画できる。また、複数の板状物は全て同一形状物を使用することができるため、コストを低減でき、また保管も容易である。また、第１板状物と第２板状物をそれぞれ２以上使用して、ボード本体の天面上に囲み部を形成すれば、陳列の演出を高めることができる。
【発明を実施するための最良の形態】
【００１２】
次に、本発明の第１の実施の形態における商品陳列用ボードを図１及び図２を参照して説明する。図１は本例の商品陳列用ボードの分解斜視図、図２は本例の商品陳列用ボードの組み立て斜視図である。本明細書中、符号Ｘは前側、すなわち、顧客側を言い、符号Ｙは後側を言う。また、左右方向は顧客側から見る方向を言う。
【００１３】
商品陳列用ボード１は、商品を左右方向に区画する第１板状物２１と、商品を前後方向に区画する第２板状物２２と、商品の陳列に必要な所定の表面積を有する平板状のボード本体１０を備える。ボード本体１０はボード基板層１１ａとボード基板上の溝形成層１１ｂの２層構造であり、通常一体成形により作製されるものである。また、ボード本体１０の天面１４の全域に亘り、縦溝１２と横溝１３が所定の間隔で碁盤目状に多数形成されている。
【００１４】
平板状のボード本体１０の天面１４に形成される横溝１３は、ボード本体１０の幅方向に渡り延出するものであり、また、縦溝１２は、ボード本体１０の前後方向に渡り延出するものである。平板状のボード本体１０の天面１４に形成される横溝１３や縦溝１２のピッチ、形成本数等は特に制限されず、陳列する商品の種類等によって適宜決定される。また、横溝１３と縦溝１２の深さとしては、特に制限されず、第１板状物２１、第２板状物２２が天面に対して、鉛直方向に起立姿勢を採れるものであればよい。
【００１５】
第１板状物２１、第２品仕切り板板状物２２の縦長さ及び横長さとしては、特に制限されず、ボード本体１０の大きさ、あるいは陳列する商品の大きさなどにより適宜決定される。本例では、第１板状物２１と第２板状物２２は、同じ大きさのものであり、第１板状物２１の長さはボード本体１０の奥行き寸法の約１/２程度であり、また、第２板状物２２の長さは、ボード本体１０の幅寸法の約１/５程度である。
【００１６】
第１の実施の形態例の商品陳列用ボード１によれば、第１板状物２１及び第２板状物２２をそれぞれ更に複数個使用すれば、商品陳列用ボードの陳列面１４を、別途の専用の嵌め込み部品や専用仕切りパーツを使用することなく左右方向及び前後方向共に同時に区画できる。また、複数の板状物は全て同一物を使用することができるため、コストを低減でき、また保管も容易である。
【００１７】
また、商品陳列用ボード１は、ボード本体１０の天面１４が前方前下がり傾斜となるように設置すれば、第２板状物２２が陳列商品を前後方向に区画すると共に、転落防止板としても機能することになる。前方前下がり傾斜の角度としては、特に制限されず、数度〜９０度の範囲で適宜決定される。図３は傾斜角１０度の商品陳列用ボードの側面図、図４は傾斜角３０度の商品陳列用ボードの側面図、図５は傾斜角６０度の商品陳列用ボードの側面図である。図３の傾斜角であれば、転がり易い丸物商品や、背が高く安定の悪い商品の陳列に好適である。図４の傾斜角であれば、第２板状物２２は転落防止板として効果的に機能する。また、奥側の商品を見易く、豪華な演出が可能である。また、図５の傾斜角であれば、パック物の陳列や腰のある長物商品の陳列に好適である。
【００１８】
次に、第２の実施の形態に係る商品陳列用ボードを図６及び図７を参照して説明する。図６は本例の商品陳列用ボードの設置状態図、図７は本例の商品陳列用ボードの使用状態図をそれぞれ示す。図６及び図７において、図５と同一構成要素には同一符号を付して、その説明を省略し、異なる点について主に説明する。すなわち、図６及び図７において、図５と異なる点は、ボード本体１０ａの大きさをボード本体１０の数倍と大きくした点、第１板状物２１及び第２板状物２２をそれぞれ更に多数個使用し、種々の大きさ及び種々の形状の囲み部３０を天面１４に形成した点にある。
【００１９】
第１板状物２１及び第２板状物２２を用いて形成される囲み部としては、特に制限されず、例えば２枚の第２板状物２２と３枚の第１板状物２１で形成される陳列面が正方形の第１囲み部３０、４枚の第２板状物２２と２枚の第１板状物２１で形成される陳列面が横長長方形の第２囲み部３０ａ、１枚の第２板状物２２と４枚の第１板状物２１で形成される陳列面が縦長長方形の第３囲み部３０ｂ等が挙げられる。
【００２０】
このような大きなサイズのボード本体１０としては、１枚もの、複数枚を並べて設置したもの及び複数枚を接合したボード等が挙げられる。また、天面に傾斜角を付ける方法としては、特に制限されず、所定の傾斜面を有する基台に設置する方法及び後方の垂直壁又は桟部材の立て掛ける方法等が挙げられる。
【００２１】
第２の実施の形態の商品陳列用ボード１ａによれば、第１の実施の形態の商品陳列用ボード１と同様の効果を奏する他、丸物商品Ａ、不定形商品Ｂ、比較的短い長物商品Ｃ、比較的長い長物商品Ｄ等種々の形状を呈する商品を同じ陳列面に陳列することができる。また、大きなサイズのボード本体が大きく傾斜させることができるため、醍醐味のある陳列を演出することができる。
【図面の簡単な説明】
【００２２】
【図１】第１の実施の形態における商品陳列用ボードの分解斜視図である。
【図２】第１の実施の形態における商品陳列用ボードの組み付け斜視図である。
【図３】本例の商品陳列用ボードを傾斜角１０度で陳列した側面図である。
【図４】本例の商品陳列用ボードを傾斜角３０度で陳列した側面図である。
【図５】本例の商品陳列用ボードを傾斜角６０度で陳列した側面図である。
【図６】第２の実施の形態における商品陳列用ボードの設置状態図である。
【図７】第２の実施の形態における商品陳列用ボードの使用状態図である。
【符号の説明】
【００２３】
１、１ａ    商品陳列用ボード
１１        ボード本体
１２        縦溝
１３        横溝
１４        天面
２１        第１板状物
２２        第２板状物
Ｘ          前側
Ｙ          後側
【図１】
2006149597.tif 000003
【図２】
2006149597.tif 000004
【図３】
2006149597.tif 000005
【図４】
2006149597.tif 000006
【図５】
2006149597.tif 000007
【図６】
2006149597.tif 000008
【図７】
2006149597.tif 000009